(57)【要約】【課題】  使い勝手の良い表示物連結具を提供する。【解決手段】  表示物連結具１は、第１保持部分３と、第２保持部分４と、第１保持部分３及び第２保持部分４を連結する連結部分５とからなる。尚、表示物連結具１はブリキの板を打ち抜いたものからなり、第１保持部分３、第２保持部分４及び連結部分５は一体的に形成されている。連結部分５の最小幅が第１保持部分３及び第２保持部分４の各々の最大幅より小さく設定されているため、連結部分５は曲げ易く、且つ捻り易くなっている。使用に際しては、第１保持部分３を第１表示物１１に、第２保持部分４を第２表示物１２に、それぞれ両面テープ等で貼り付け、第１表示物１１及び第２表示物１２を連結する。尚、第１表示物１１の向き及び傾きは、連結部分５を捻る又は曲げることで調整できる。【選択図】  図５
0003153655.tif 000002
【実用新案登録請求の範囲】
【請求項１】
ＰＯＰ等の表示物を連結するための、可撓性且つ保形性を有するシート状の表示物連結具であって、
第１表示物を保持するための第１保持部分と、
第２表示物を保持するための第２保持部分と、
前記第１保持部分と前記第２保持部分とを連結する連結部分とを備え、
前記連結部分の最小幅の方向に平行な位置での前記第１保持部分の最大幅及び前記第２保持部分の最大幅のいずれも、前記最小幅より大きい、表示物連結具。
【請求項２】
前記表示物連結具は、金属板を打ち抜くことによって形成される、請求項１記載の表示物連結具。
【請求項３】
前記第１保持部分及び前記第２保持部分の各々は、指で摘める程度の大きさを有し、
前記連結部の剛性は、前記第１保持部分及び前記第２保持部分の各々を指で摘んだ状態で少なくとも９０度まで捻ることができるように設定される、請求項１又は請求項２記載の表示物連結具。
【請求項４】
前記第１保持部分及び前記第２保持部分の各々は同一の略正方形形状を有し、
前記連結部分は連結方向の長さが前記最小幅より長い略長方形形状を有する、請求項１から請求項３記載の表示物連結具。
【考案の詳細な説明】
【技術分野】
【０００１】
この考案は表示物連結具に関し、特にＰＯＰ等の表示物を連結するための表示物連結具に関するものである。
【背景技術】
【０００２】
図６は、従来の表示物保持具の使用状態を示した斜視図である。
【０００３】
図を参照して、表示物保持具３１は、表示物４１を挟持して保持するためのクリップ３３と、ベース体３４と、クリップ３３とベース体３４とを連結するジョイント３５とからなる。ジョイント３５の端部の一方には、球冠形状を有する凹部３７が形成され、クリップ３３には、凹部３７の球冠形状と直径がほぼ等しい球形状を端部の形状とする脚体３８が形成されている。
【０００４】
使用に際しては、脚体３８を凹部３７に嵌合させる。すると、凹部３７の内部での脚体３８の回転が阻止されないため、脚体３８が、凹部３７の開口に接するまでの範囲において回動自在及び傾斜自在となる。これにより、クリップ３３及びクリップ３３に保持されている表示物４１の向き及び傾きを変えることが可能となっていた。
【０００５】
しかし、上記のような表示物保持具においては、表示物を１つしか保持できないという問題点があった。
【０００６】
そこで、複数の表示物を連結するための表示物連結具として、表示物保持具３１のベース体３４をクリップ３３と同様のクリップに置き換えたものが提案されている。
【０００７】
この表示物連結具では、ジョイント３５の両端部にクリップが１つずつ連結されるため、表示物連結具全体で２つの表示物を保持することができる。
【考案の概要】
【考案が解決しようとする課題】
【０００８】
上記のような従来の表示物連結具では、２つのクリップと１つのジョイントとを必要とし、部品数が多くなっていた。又、部品数が多いために、表示物連結具自体の重みで表示物が潰れてしまう虞もあった。更に、ジョイントの長さの分だけクリップ同士の距離が遠ざかるため、各々のクリップに取り付けられる表示物同士の距離は更に遠くならざるを得なかった。更に、表示物を挟持するクリップの一部が表示物の表側に現れると共に、表示物と表示物との間にジョイントが現れるため、表示物連結具が目立ってしまっていた。
【０００９】
この考案は、上記のような課題を解決するためになされたもので、使い勝手の良い表示物連結具を提供することを目的とする。
【課題を解決するための手段】
【００１０】
上記の目的を達成するために、請求項１記載の考案は、ＰＯＰ等の表示物を連結するための、可撓性且つ保形性を有するシート状の表示物連結具であって、第１表示物を保持するための第１保持部分と、第２表示物を保持するための第２保持部分と、第１保持部分と第２保持部分とを連結する連結部分とを備え、連結部分の最小幅の方向に平行な位置での第１保持部分の最大幅及び第２保持部分の最大幅のいずれも、最小幅より大きいものである。
【００１１】
このように構成すると、連結部分の曲げ剛性及び捻り剛性が第１保持部分及び第２保持部分に比べて小さくなる。
【００１２】
請求項２記載の考案は、請求項１記載の考案の構成において、表示物連結具は、金属板を打ち抜くことによって形成されるものである。
【００１３】
このように構成すると、一体性が確保される。
【００１４】
請求項３記載の考案は、請求項１又は請求項２記載の考案の構成において、第１保持部分及び第２保持部分の各々は、指で摘める程度の大きさを有し、連結部の剛性は、第１保持部分及び第２保持部分の各々を指で摘んだ状態で少なくとも９０度まで捻ることができるように設定されるものである。
【００１５】
このように構成すると、指で容易に第１保持部分及び第２保持部分を捻ることができる。
【００１６】
請求項４記載の考案は、請求項１から請求項３記載の考案の構成において、第１保持部分及び第２保持部分の各々は同一の略正方形形状を有し、連結部分は連結方向の長さが最小幅より長い略長方形形状を有するものである。
【００１７】
このように構成すると、第１保持部分及び第２保持部分への表示物の取り付けが容易で、連結部分が目立たない。
【考案の効果】
【００１８】
以上説明したように、請求項１記載の考案は、連結部分の曲げ剛性及び捻り剛性が第１保持部分及び第２保持部分に比べて小さくなるので、連結部分が曲げ易く、且つ捻り易くなるので、表示物同士を種々の連結状態とすることができる。
【００１９】
請求項２記載の考案は、請求項１記載の考案の効果に加えて、一体性が確保されるので、使用時の信頼性が向上すると共に、製造コストが低減する。
【００２０】
請求項３記載の考案は、請求項１又は請求項２記載の考案の効果に加えて、指で容易に第１保持部分及び第２保持部分を捻ることができるので、捻り程度の微調整が容易となり、使い勝手が向上する。又、捻った状態の表示物同士の連結状態を全てカバーすることができる。
【００２１】
請求項４記載の考案は、請求項１から請求項３記載の考案の効果に加えて、第１保持部分及び第２保持部分への表示物の取り付けが容易で、連結部分が目立たないので、使い勝手が向上する。
【図面の簡単な説明】
【００２２】
【図１】この考案の第１の実施の形態による表示物連結具の正面図である。
【図２】図１で示した表示物連結具を変形させた状態を示した斜視図である。
【図３】図１で示した表示物連結具の取り付け過程を示した概略斜視図である。
【図４】図１で示した表示物連結具を折り曲げた使用状態を示した斜視図である。
【図５】図１で示した表示物連結具を捻った使用状態を示した斜視図であって、先の折り曲げた使用状態の図４に対応する図である。
【図６】従来の表示物保持具の使用状態を示した斜視図である。
【考案を実施するための形態】
【００２３】
図１は、この考案の第１の実施の形態による表示物連結具の正面図である。
【００２４】
図を参照して、表示物連結具１は、表示物を保持する第１保持部分３及び第２保持部分４と、第１保持部分３と第２保持部分４とを連結する連結部分５とからなる。
【００２５】
尚、表示物連結具１は厚さ０．５ｍｍのブリキのシート状の板を打ち抜いたものからなり、第１保持部分３、第２保持部分４及び連結部分５は一体的に形成されている。
【００２６】
このように構成すると、表示物連結具１の一体性及び均一性が確保され、使用時の信頼性が向上すると共に、製造コストが低減する。又、表示物連結具１の軽量化が図れる。
【００２７】
第１保持部分３及び第２保持部分４は、幅Ｗ１及び長さＬ１が１５ｍｍの略正方形形状にそれぞれ形成されている。又、連結部分５は、幅Ｗ２が３ｍｍ、長さＬ２が６ｍｍの略長方形形状に形成されている。尚、連結部分５は、第１保持部分３及び第２保持部分４の各々の対向する一辺の中央において、第１保持部分３及び第２保持部分４と連結している。
【００２８】
このように構成すると、連結部分５の曲げ剛性及び捻り剛性が第１保持部分３及び第２保持部分４に比べて小さくなるため、連結部分５が曲げ易く、且つ捻り易くなる。又、第１保持部分３及び第２保持部分４が指で掴み易い大きさになるため、これらを掴んで連結部分５を曲げたり捻ったりすること、及び連結部分５の曲げや捻りの程度の微調整をすることが容易となり、使い勝手が向上する。更に、第１保持部分３及び第２保持部分４は平板状のため表示物の取り付けが容易となると共に、表示物連結具１の全体において連結部分５が目立たないため、使い勝手がより向上する。
【００２９】
尚、連結部分５の材質、形状及び寸法によってその剛性は、第１保持部分３及び第２保持部分４の各々を指で摘んだ状態で少なくとも９０度まで捻ることができると共に、折り曲げ易くなるように設定されている。
【００３０】
このように構成すると、連結部分５を左右の一方向に９０度捻ることで第１保持部分３又は第２保持部分４の一方の面に保持される表示物の水平方向の向きを９０度変化させることができる。又、表示物の水平方向の向きを更に１８０度まで変化させたい場合には、表示物が保持される面を他方の面に変更して連結部分５を左右の反対方向に９０度まで捻れば同様の効果を得られる。よって、捻った状態における表示物同士の表示方向を全てカバーすることができる。
【００３１】
尚、連結部分５は曲げつつ捻ることも可能であるため、表示物の方向を更に多くの方向に変化させることができる。その詳細については、図５の説明において後述する。
【００３２】
第１保持部分３及び第２保持部分４のそれぞれの四隅は丸みを帯びており、その半径Ｒ１は２ｍｍである。又、第１保持部分３及び第２保持部分４と連結部分５との境目の角も丸みを帯びており、その半径Ｒ２は２ｍｍである。
【００３３】
このように構成すると、表示物連結具１の全ての角が丸みを帯びるため、指等を傷付けるおそれが無くなり安全性が高まる。又、連結部分５の、捻り及び曲げに対する耐久性が向上する。
【００３４】
図２は、図１で示した表示物連結具を変形させた状態を示した斜視図である。
【００３５】
まず、図２の（１）を参照して、表示物連結具１を側面方向から見たときに、第１保持部分３を含む面と第２保持部分４を含む面とが直交するように、連結部分５が９０度折り曲げられている。
【００３６】
尚、表示物連結具１はブリキ板で構成されているため保形性を有する。そのため、表示物連結具１の形状は連結部分５が折り曲げられた状態のままで安定する。このようにすると、第２保持部分４に対する第１保持部分３の傾斜状態が保たれる。
【００３７】
次に、図２の（２）を参照して、表示物連結具１を平面方向から見たときに、第１保持部分３を含む面と第２保持部分４を含む面とが直交するように、連結部分５が反時計回りに９０度捻られている。
【００３８】
尚、表示物連結具１の保形性のため、表示物連結具１の形状は連結部分５が捻られた状態のままでも安定する。このようにすると、第２保持部分４に対して第１保持部分３の水平方向の向きを変化させた状態が保たれる。
【００３９】
図３は、図１で示した表示物連結具の取り付け過程を示した概略斜視図である。
【００４０】
図を参照して、第１保持部分３に両面テープ７ａを、第２保持部分４に両面テープ７ｂを、それぞれ貼り付ける。この状態で表示物取付具１を第１表示物１１及び第２表示物１２の二点鎖線で囲んだ部分に貼り付ける。尚、第２表示物１２が表示物保持具３１によって保持されているため、第１表示物１１及び第２表示物１２の位置が固定される。
【００４１】
このように構成すると、表示物取付具１が第１表示物１１及び第２表示物１２の各々に容易に取り付けられ、且つ第１表示物１１と第２表示物１２とを容易に連結できる。
【００４２】
又、表示物取付具１が貼り付いていない側の第１表示物１１及び第２表示物１２の面からは、表示物取付具１が殆ど見えなくなり、使い勝手が良い。
【００４３】
図４は、図１で示した表示物連結具を折り曲げた使用状態を示した斜視図である。
【００４４】
図を参照して、第１表示物１１及び第２表示物１２を保持した表示物連結具１において、連結部分５が、第１表示物１１を保持していない側の第１保持部３の面が第２表示物１２を保持していない側の第２保持部分の面に近づく傾斜状態に、折り曲げられている。尚、第２表示物１２が表示物保持具３１によって保持されているため、第１表示物１１及び第２表示物１２の設置状態は安定している。
【００４５】
このようにすると、第１表示物１１の傾きを変化させた状態が保たれる。
【００４６】
図５は、図１で示した表示物連結具を捻った使用状態を示した斜視図であって、先の折り曲げた使用状態の図４に対応する図である。
【００４７】
図を参照して、第１表示物１１及び第２表示物１２を保持した表示物連結具１において、連結部分５が反時計回りに捻られている。尚、第１表示物１１及び第２表示物１２の設置状態は表示物保持具３１による保持によって安定している。
【００４８】
このようにすると、第１表示物１１の水平方向の向きを変化させた状態が保たれる。
【００４９】
尚、連結部分５をこの捻った状態から更に折り曲げると、第１表示物１１は水平方向の向きのみならず、傾きまでもが変化した状態で保たれる。よって、第１表示物１１の向きを更に多くの方向に変化させて、その状態を保つことが可能となる。
【００５０】
尚、上記の第１の実施の形態では、表示物連結具は厚さ０．５ｍｍのブリキの板からなるとしていたが、同程度の可撓性且つ保形性を有するシート状のものであれば、厚さ及び素材が異なるものであっても良い。
【００５１】
又、上記の第１の実施の形態では、打抜成形によって形成されていたが、例えば、素材によっては射出成形などの別の方法によって形成されても良い。
【００５２】
更に、上記の第１の実施の形態では、第１保持部分、第２保持部分及び連結部分が一体的に形成されていたが、各々を個別に形成して繋ぎ合わせても良い。
【００５３】
更に、上記の第１の実施の形態では、第１保持部分及び第２保持部分は、幅Ｗ１及び長さＬ１が特定寸法の略正方形形状とされていたが、指で掴め、且つ表示物を保持できる大きさ及び形状でなくても良く、異なる寸法及び形状であっても良い。
【００５４】
更に、上記の第１の実施の形態では、連結部分は、幅Ｗ２及び長さＬ２が特定寸法の略長方形形状とされていたが、最小幅の大きさが、最小幅の方向に平行な第１連結部分の最大幅及び第２連結部分の最大幅より小さく、長さが最小幅よりも長いものでなくても良く、異なる寸法及び形状であっても良い。
【００５５】
更に、上記の第１の実施の形態では、連結部分の捻り剛性は、第１保持部分３及び第２保持部分４の各々を指で摘んだ状態少なくとも９０度まで捻ることができるように設定されているが、これ以上の大きさの剛性を有するものであって、連結部分が捻り難いものになっていても良い。
【符号の説明】
【００５６】
１…表示物連結具
３…第１保持部分
４…第２保持部分
５…連結部分
１１…第１表示物
１２…第２表示物
尚、各図中同一符号は同一又は相当部分を示す。
【図１】
0003153655.tif 000003
【図２】
0003153655.tif 000004
【図３】
0003153655.tif 000005
【図４】
0003153655.tif 000006
【図５】
0003153655.tif 000007
【図６】
0003153655.tif 000008
【手続補正書】
【提出日】平成21年5月29日(2009.5.29)
【手続補正１】
【補正対象書類名】明細書
【補正対象項目名】００１０
【補正方法】変更
【補正の内容】
【００１０】
上記の目的を達成するために、請求項１記載の考案は、ＰＯＰ等の表示物を連結するための、可撓性且つ保形性を有するシート状の表示物連結具であって、第１表示物を保持するための第１保持部分と、第２表示物を保持するための第２保持部分と、第１保持部分と第２保持部分とを連結する連結部分とを備え、連結部分の最小幅の方向に平行な第１保持部分の最大幅及び第２保持部分の最大幅のいずれも、最小幅より大きいものである。
【手続補正２】
【補正対象書類名】明細書
【補正対象項目名】００１４
【補正方法】変更
【補正の内容】
【００１４】
請求項３記載の考案は、請求項１又は請求項２記載の考案の構成において、第１保持部分及び第２保持部分の各々は、指で摘める程度の大きさを有し、連結部分の剛性は、第１保持部分及び第２保持部分の各々を指で摘んだ状態で少なくとも９０度まで捻ることができるように設定されるものである。
【手続補正３】
【補正対象書類名】実用新案登録請求の範囲
【補正対象項目名】全文
【補正方法】変更
【補正の内容】
【実用新案登録請求の範囲】
【請求項１】
ＰＯＰ等の表示物を連結するための、可撓性且つ保形性を有するシート状の表示物連結具であって、
第１表示物を保持するための第１保持部分と、
第２表示物を保持するための第２保持部分と、
前記第１保持部分と前記第２保持部分とを連結する連結部分とを備え、
前記連結部分の最小幅の方向に平行な前記第１保持部分の最大幅及び前記第２保持部分の最大幅のいずれも、前記最小幅より大きい、表示物連結具。
【請求項２】
前記表示物連結具は、金属板を打ち抜くことによって形成される、請求項１記載の表示物連結具。
【請求項３】
前記第１保持部分及び前記第２保持部分の各々は、指で摘める程度の大きさを有し、
前記連結部分の剛性は、前記第１保持部分及び前記第２保持部分の各々を指で摘んだ状態で少なくとも９０度まで捻ることができるように設定される、請求項１又は請求項２記載の表示物連結具。
【請求項４】
前記第１保持部分及び前記第２保持部分の各々は同一の略正方形形状を有し、
前記連結部分は連結方向の長さが前記最小幅より長い略長方形形状を有する、請求項１から請求項３記載の表示物連結具。
【手続補正書】
【提出日】平成21年7月14日(2009.7.14)
【手続補正１】
【補正対象書類名】明細書
【補正対象項目名】００１６
【補正方法】変更
【補正の内容】
【００１６】
請求項４記載の考案は、請求項１から請求項３のいずれかに記載の考案の構成において、第１保持部分及び第２保持部分の各々は同一の略正方形形状を有し、連結部分は連結方向の長さが最小幅より長い略長方形形状を有するものである。
【手続補正２】
【補正対象書類名】明細書
【補正対象項目名】００２１
【補正方法】変更
【補正の内容】
【００２１】
請求項４記載の考案は、請求項１から請求項３のいずれかに記載の考案の効果に加えて、第１保持部分及び第２保持部分への表示物の取り付けが容易で、連結部分が目立たないので、使い勝手が向上する。
【手続補正３】
【補正対象書類名】実用新案登録請求の範囲
【補正対象項目名】全文
【補正方法】変更
【補正の内容】
【実用新案登録請求の範囲】
【請求項１】
ＰＯＰ等の表示物を連結するための、可撓性且つ保形性を有するシート状の表示物連結具であって、
第１表示物を保持するための第１保持部分と、
第２表示物を保持するための第２保持部分と、
前記第１保持部分と前記第２保持部分とを連結する連結部分とを備え、
前記連結部分の最小幅の方向に平行な前記第１保持部分の最大幅及び前記第２保持部分の最大幅のいずれも、前記最小幅より大きい、表示物連結具。
【請求項２】
前記表示物連結具は、金属板を打ち抜くことによって形成される、請求項１記載の表示物連結具。
【請求項３】
前記第１保持部分及び前記第２保持部分の各々は、指で摘める程度の大きさを有し、
前記連結部分の剛性は、前記第１保持部分及び前記第２保持部分の各々を指で摘んだ状態で少なくとも９０度まで捻ることができるように設定される、請求項１又は請求項２記載の表示物連結具。
【請求項４】
前記第１保持部分及び前記第２保持部分の各々は同一の略正方形形状を有し、
前記連結部分は連結方向の長さが前記最小幅より長い略長方形形状を有する、請求項１から請求項３のいずれかに記載の表示物連結具。